(57)【要約】【課題】場所を選ばず利用可能であり、且つ洗浄効果の高い膣内衛生器具を提供する。【解決手段】スポンジ体１と、被覆部材２と、紐部材３とを備えた膣内衛生器具であって、スポンジ体１に、少なくともポビドンヨード及びスクワランオイルを含む混合物が付着していることを特徴とする。【選択図】図１
0003219562.tif 000002
【実用新案登録請求の範囲】
【請求項１】
少なくともポビドンヨード及びスクワランオイルを含む混合物が付着しているスポンジ体（１）と、
前記スポンジ体（１）を被覆する被覆部材（２）と、
前記被覆部材（２）の一端に連結している紐部材（３）とを備えた膣内衛生器具。
【請求項２】
先端部に拡開自在の弁を備えた収容外筒（４）と、
前記収容外筒（４）の後端部側から挿入された押出内筒（５）とを備え、
前記スポンジ体（１）及び前記被覆部材（２）が前記収容外筒（４）内に収容され、
前記紐部材（３）が前記押出内筒（５）内に挿通されていることを特徴とする請求項１に記載の膣内衛生器具。
【請求項３】
前記膣内衛生器具が樹脂製被包体（６）にて密封されていることを特徴とする請求項１又は２に記載の膣内衛生器具。
【考案の詳細な説明】
【技術分野】
【０００１】
本考案は、膣内を衛生に保つための器具に関する。
【背景技術】
【０００２】
従来より、膣内を洗浄するための技術として、例えば、台所、洗面所又は浴室に既設のシャワーヘッドを体内挿入型シャワーヘッドに代えて、膣内等の体内に当該体内挿入型シャワーヘッドを挿入して、膣内等の体内を水（温水）にて洗浄するものが存在する（特許文献１）。
【０００３】
また、内部にパック洗浄水を収容したタンポン型膣内洗浄具も存在している（特許文献２）。
【０００４】
しかしながら、特許文献１に係る技術は、台所、洗面所又は浴室など、既設のシャワー設備が必要であるため、当該技術を実施する場所が限定されてしまう。
【０００５】
また、特許文献２に係る技術は、膣内にて、精製水が封入されたパックを破裂させて膣内に精製水を供給するとともに、当該精製水を吸収して膨張した拭き取り用圧縮吸収体にて膣壁の汚れを清拭しようとするものであるが、精製水による洗浄では洗浄効果はあまり期待できるものではない。
【先行技術文献】
【特許文献】
【０００６】
【特許文献１】実用新案登録第３１３３６１１号公報
【０００７】
【特許文献２】特許第４１１６４６６号公報
【考案の概要】
【考案が解決しようとする課題】
【０００８】
そこで、本考案の目的は、場所を選ばず利用可能であり、且つ洗浄効果の高い膣内衛生器具を提供することである。
【課題を解決するための手段】
【０００９】
上記目的を達成するために本考案は、少なくともポビドンヨード及びスクワランオイルを含む混合物が付着しているスポンジ体（１）と、前記スポンジ体（１）を被覆する被覆部材（２）と、前記被覆部材（２）の一端に連結している紐部材（３）とを備えた膣内衛生器具である。
【００１０】
また、本考案は好ましくは、先端部に拡開自在の弁を備えた収容外筒（４）と、前記収容外筒（４）の後端部側から挿入された押出内筒（５）とを備え、前記スポンジ体（１）及び前記被覆部材（２）が前記収容外筒（４）内に収容され、前記紐部材（３）が前記押出内筒（５）内に挿通されていることを特徴とする。
【００１１】
また、本考案は好ましくは、前記膣内衛生器具が樹脂製被包体（６）にて密封されていることを特徴とする。
【考案の効果】
【００１２】
本考案によれば、場所を選ばずに膣内洗浄を行うことができ、且つより洗浄効果が高く、膣内を有効に消毒することできる膣内衛生器具を提供することが可能となる。
【００１３】
また、本考案の好ましい態様によれば、収容外筒及び押出内筒がタンポンの所謂アプリケーターの役割を果たすことから、膣内衛生器具を容易に膣内に挿入することができる。
【００１４】
また、本考案の好ましい態様によれば、樹脂製被包体にて、膣内衛生器具を密封したことから、スポンジ体に付着させた少なくともポビドンヨード及びスクワランオイルを含む混合物の消毒機能を有効に保持することが可能となる。
【図面の簡単な説明】
【００１５】
【図１】図１は、本考案の膣内衛生器具の一例を示す斜視図である。
【図２】図２は、本考案の膣内衛生器具の好ましい態様の一例を示す透視的平面図である。
【図３】図３は、本考案の収容外筒の先端部の一例を示す拡大図である。
【考案を実施するための形態】
【００１６】
以下に、本考案の膣内衛生器具について図面を参照しながら説明する。なお、実施形態を説明する全図において、共通の構成要素には同一の符号を付し、繰り返しの説明を省略する。
【００１７】
図１は、本考案の実施形態に係る膣内衛生器具を示す斜視図である。
【００１８】
図１に示すように、本考案の膣内衛生器具は、スポンジ体１と、被覆部材２と、紐部材３とを備えている。スポンジ体１は被覆部材２にて全体的に覆われている。また、被覆部材２の一端には紐部材３が連結している。
【００１９】
スポンジ体１としては、多孔質で弾力があり、孔内に水分を保持することができ、外部からの力によって孔内に保持した水分を放出することができる物を利用することができる。具体的には、合成樹脂を発泡成形して製造された合成スポンジを用いることができる。好ましくは、ポリウレタンフォーム製の合成スポンジを用いることができる。
【００２０】
スポンジ体１の形状は特に限定されるものではないが、膣内に挿入されるものであるため略棒状であることが望ましく、具体的には例えば、角柱状や円柱状とすることができる。また、角柱又は円柱における底面の一方又は双方をドーム状にすることも可能である。
【００２１】
本考案において、多孔質で弾力があり、孔内に水分を保持することができ、外部からの力によって孔内に保持した水分を放出することができる性質を有するスポンジ体１を用いるのは、以下の理由による。
【００２２】
スポンジ体１は上述の通り水分を保持する性質を有するが、スポンジ体１の内部奥深くまで水分を吸収することなく、スポンジ体１の表面及び表面付近の部位に水分を保持することが可能である。したがって、スポンジ体１には、後述する少なくともポビドンヨード及びスクワランオイルを含む混合物が付着されているが、この混合物をスポンジ体１の表面及び表面付近の部位に保持することが可能になるのである。これにより、本考案の膣内衛生器具を膣内に挿入すると、スポンジ体１の表面及び表面付近の部位（換言するとスポンジ体１の周囲付近）に付着した少なくともポビドンヨード及びスクワランオイルを含む混合物を膣内に有効に放出することが可能になる。
【００２３】
スポンジ体１には図示しない、少なくともポビドンヨード及びスクワランオイルを含む混合物が付着している。該混合物は、スポンジ体１の表面及び表面付近の部位に付着している。
【００２４】
前記混合物にポビドンヨードを含有させることにより、本考案の膣内衛生器具の膣内の消毒効果を高めることができる。
【００２５】
前記混合物に含まれるポビドンヨードは、ポビドンヨード液の状態のものを用いることができる。例えば、ポビドンヨード及びその他にｐＨ調整剤等の成分を含んだポビドンヨード液を用いることが望ましい。より具体的には、１ｍｌ中に６５ｍｇ〜８５ｍｇの範囲のポビドンヨードを含んだポビドンヨード液であることがより望ましい。このような適切量のポビドンヨードを含有させることにより、より有効に膣内の消毒効果を高めることが可能となる。
【００２６】
前記混合物にスクワランオイルを含有させることにより、適度にポビドンヨード液を希釈することができるとともに、スクワランオイルの肌に優しい特性により、比較的にデリケートな部分である膣内に対しても安心して使用することができる。なお、スクワランオイルは、深海鮫の肝油やオリーブオイル、綿実油等から得られたスクワレンを処理して得られたスクワランを原料とするものである。
【００２７】
ポビドンヨードとスクワランオイルの混合割合としては、例えば、ポビドンヨードを前記ポビドンヨード液として用いる場合は、ポビドンヨード液０．５〜２に対して、スクワランオイル８〜９．５の割合で混合することが望ましい。最も好ましくは、希釈倍率１０倍にて、前記ポビドンヨード液をスクワランオイルで希釈することが望ましい。
【００２８】
前記混合物は、やや粘稠性を有する液状であり、該混合物は、スポンジ体１が保持可能な範囲の量がスポンジ体１に付着されるが、スポンジ体１が保持可能な最大限の量の前記混合物を付着されることが望ましい。
【００２９】
被覆部材２は、図１に示すようにスポンジ体１を全体的に被覆することが望ましい。ただし、被覆部材２はスポンジ体１を必ずしも全体的に覆う必要はない。被覆部材２は、主として、後述する紐部材３を確実に連結させるために設けられている。即ち、もし仮にスポンジ体１に紐部材３を直接連結させた場合、両者の連結が不十分になることがあり、紐部材３がスポンジ体１から外れてしまい、膣内に挿入したスポンジ体１を取り出すのが困難になることがある。しかし、被覆部材２を用いて、これと紐部材３を連結させることにより、連結が確実なものとなり、紐部材３が外れて膣内からスポンジ体１を取り出すことができなくなることを有効に防止することができる。
【００３０】
被覆部材２は袋状やシート状のものを使用することができる。シート状の場合は適宜の方法でスポンジ体１を被覆し、シート状の被覆部材２の任意の箇所を結んだり又は適宜の方法で接着させることになる。
【００３１】
本考案の膣内衛生器具を膣内に挿入した場合には、被覆部材２は、膣内部とスポンジ体１との間に介在することになるが、本考案の消毒効果を発揮させるためには、スポンジ体１に付着した少なくともポビドンヨード及びスクワランオイルを含む混合物を膣内に放出する必要がある。そのため、被覆部材２は多孔質の素材を用いることが望ましい。ただし、前記混合物を通過させることができる素材を被覆部材２の素材として用いる場合は必ずしも多孔質である必要はない。また、同様の理由で、被覆部材２の素材は、前記混合物を吸収しない素材であることが望ましい。具体的には、被覆部材２の素材は特に限定されるものではないが、例えば、ポリエステルを用いることが望ましい。
【００３２】
紐部材３は、膣内に挿入したスポンジ体１（及び被覆部材２）を容易に取り出すために設けられている。紐部材３は、図１に示すように、被覆部材２の一端に連結している。具体的には、本考案の膣内衛生器具の膣挿入時に先頭となる側を先端側とし、他側を後端側とするならば、紐部材３は被覆部材２の後端側に連結している。被覆部材２と紐部材３との連結方法は、両者が容易に離れてしまうこのとのないよう連結できれば、その連結方法は特に限定されるものではない。
【００３３】
紐部材３は、図２に示すように１本の紐状でもよいし、図１に示すように環状にすることもできる。ただし、スポンジ体１（及び被覆部材２）の取り出しをより容易に行うことを考慮すると、紐部材３は環状とすることが望ましい。
【００３４】
図２は、本考案の膣内衛生器具の好ましい態様の一例を示す透視的平面図である。である。
【００３５】
上述したように、スポンジ体１が被覆部材２に被覆され、被覆部材２の一端には紐部材３が連結されている。本好ましい態様では、膣内衛生器具は、さらに収容外筒４と、押出内筒５と、樹脂製被包体６とを備えている。
【００３６】
収容外筒４と押出内筒５は、生理用タンポンにおける所謂アプリケーターに相当する部材である。即ち、スポンジ体１（及び被覆部材２）を容易に膣内に挿入するための部材である。
【００３７】
図２に示すように、収容外筒４内には、スポンジ体１及び被覆部材２が収容されている。収容外筒４は、例えば、ポリエチレン、ポリプロピレンなどの樹脂製であることが望ましいが、特にこれらに限定されるものではない。収容外筒４の表面は円滑に形成することが望ましい。収容外筒４の形状は略円柱状で、先端部側の底面に相当する部分は略ドーム状に形成されている。収容外筒４の後端部側の底面は開放されており、収容外筒４の内部は中空に形成されている。
【００３８】
図３は、収容外筒４の先端部の一例を示す拡大図である。このように、収容外筒４の先端部、即ち、本膣内衛生器具を膣内に挿入する際に先頭となる側には、拡開自在の複数の弁７が設けられている。
【００３９】
弁７は変形可能に設けられており、後述する押出内筒５によって押し出されたスポンジ体１及び被覆部材２が弁７を外側に押し退けることでスポンジ体１及び被覆部材２が収容外筒４の先端部から外側に押し出されることが可能となっている。
【００４０】
収容外筒４の後端部側は、任意に把持部８を設けることができる。把持部８は、例えば、収容外筒４の先端部側からの主要部分の断面円形の径よりも径を小さく設けた部分である。収容外筒４は、上述したように、膣内に容易に挿入しやすいように、表面を円滑に形成することが望ましい。しかし、この場合、膣挿入時に収容外筒４の後端部側を指で掴む際には指から収容外筒４が滑りやすくなるという欠点がある。そこで、把持部８を設けることにより、収容外筒４を掴んだ指から滑るのを防止することができる。把持部８の表面には、適宜の凹凸を設けて、より有効に滑りを防止することもできる。
【００４１】
押出内筒５は、円筒状に形成されており、押出内筒５内には紐部材３が挿通されている。押出内筒５は、例えば、ポリエチレン、ポリプロピレン等の樹脂で製造されたものを用いることができる。押出内筒５の断面円形の径は、収容外筒４のそれ（把持部８を設けた場合には把持部８の断面円形の径）よりも僅かに小さく設けられていて、押出内筒５を収容外筒４の後端部側から収容外筒４内に挿入可能となっている。また、押出内筒５の先端部には、押出内筒５の先端部の外周方向に拡がるフランジ部を設けて、押出内筒５が収容外筒４から外れてしまうことがないように構成することもできる。なお、押出内筒５は、テレスコープ状に伸縮可能に設けることもできる。押出内筒５を伸縮可能に設けることで、未使用時には、よりコンパクトに膣内衛生器具を設けることができる。
【００４２】
図２に示すように、本膣内衛生器具は、樹脂製の被包体６にて密封することが望ましい。上述の通り、スポンジ体１には少なくともポビドンヨード及びスクワランオイルを含む混合物が付着しているが、樹脂製被包体６にて密封することにより、当該混合物の性能を有効に保持することが可能となる。
【００４３】
次に、本考案の好ましい態様の膣内衛生器具の使用方法を説明する。
【００４４】
図２の状態から、まず膣内衛生器具を被包体６から取り出す。そして、把持部８を指で掴みつつ、収容外筒４の先端部から膣内衛生器具を膣内に挿入する。膣内衛生器具が膣内に挿入されたら、把持部８を指でつかみながら、別の指で押出内筒５の後端部を押して、押出内筒５を収容外筒４内に挿入する。押出内筒５を収容外筒４内に挿入したことにより、収容外筒４内に収容されていたスポンジ体１及び被覆部材２は押出内筒５に押され、弁７を外側に押し広げて、収容外筒４の外に押し出されて膣内に放出される。スポンジ体１及び被覆部材２が収容外筒４から膣内に放出されたら、把持部８を掴みながら収容外筒４及び押出内筒５を膣から取り出す。なお、この際、紐部材３は体外に出しておくようにする。膣内に放出されたスポンジ体１に付着していた少なくともポビドンヨード及びスクワランオイルを含む混合物が膣内に拡散される。スポンジ体１及び被覆部材２は、好ましくは２０〜４０分間、より好ましくは２５〜３５分間膣内に入れておくことが望ましい。こうすることにより、本考案の膣内衛生器具の消毒効果がより有効に発揮される。スポンジ体１及び被覆部材２が膣内に挿入されてから適切な時間が経過したら、紐部材３を引くことによって膣からスポンジ体１及び被覆部材２を取り出す。膣からスポンジ体１及び被覆部材２を取り出した後、膣内を流水で洗浄することが望ましい。
【００４５】
以上のように、本考案によれば、場所を選ばずに膣内洗浄を行うことができ、且つより洗浄効果が高く、膣内を有効に消毒することできる膣内衛生器具を提供することが可能となる。これにより、さらに、防臭や感染症予防といった効果も期待できる。また、本考案の好ましい態様によれば、収容外筒及び押出内筒がタンポンの所謂アプリケーターの役割を果たすことから、膣内衛生器具を容易に膣内に挿入することができる。また、本考案の好ましい態様によれば、樹脂製被包体にて、膣内衛生器具を密封したことから、スポンジ体に付着させた少なくともポビドンヨード及びスクワランオイルを含む混合物の消毒機能を有効に保持することが可能となる。
【符号の説明】
【００４６】
１    スポンジ体
２    被覆部材
３    紐部材
４    収容外筒
５    押出内筒
６    被包体
７    弁
８    把持部
【図１】
0003219562.tif 000003
【図２】
0003219562.tif 000004
【図３】
0003219562.tif 000005